(57)【要約】  本発明は、複製送信の構成、複製送信方法および装置を開示し、前記方法では、端末の各無線ベアラーを決定し、各無線ベアラーについて複製送信構成を実行し、端末は、ネットワーク側から複製送信の構成を受信し、前記構成に従って複製送信を実行する。本発明により、異なるベアラー特性に応じて、複製送信を柔軟に適用でき、複製送信によって引き起こされる高い信頼性が得られるとともに、無線リソースの利用効率を高め、リソースの浪費を避けることができる。その間、エアインターフェイス制御シグナリングオーバーヘッドも節約される。
2020524936.tif 000002
【特許請求の範囲】
【請求項１】
端末の各無線ベアラーを決定するステップと、
各無線ベアラーについて複製送信構成を実行するステップとを備えることを特徴とする複製送信の構成方法。
【請求項２】
ＲＲＣシグナリングを使用して各無線ベアラーについて複製送信構成を実行することを特徴とする請求項１に記載の複製送信の構成方法。
【請求項３】
各無線ベアラーについて、以下の１つまたは組み合わせを含む複製送信構成を実行するようにさらに構成される：
無線ベアラー番号ＲＢ ＩＤ、および前記ベアラーに対応するＰＤＣＰエンティティの構成、
複製送信のために前記無線ベアラーによって使用される２つの対応する論理チャネル番号ＬＣＩＤ、および前記２つの論理チャネルにそれぞれ対応するＲＬＣエンティティの構成、
アップリンク送信の場合、２つの論理チャネルに構成された初期状態は構成後に直後にアクティブ化状態になるかどうかを示す状態であり、
アップリンク送信の場合、構成は、複製送信のアクティブ化または非アクティブ化を許可するかどうかを示すことを特徴とする請求項１に記載の複製送信の構成方法。
【請求項４】
ＭＡＣ層シグナリングを使用して無線ベアラーの複製送信をアクティブ化または非アクティブ化することを特徴とする請求項３に記載の複製送信の構成方法。
【請求項５】
アクティブ化または非アクティブ化するためのＭＡＣ層シグナリングは、ＭＡＣ層負荷なしで独立したＭＡＣサブヘッダであることを特徴とする請求項４に記載の複製送信の構成方法。
【請求項６】
ＭＡＣサブヘッダ内のフィールドを用いて前記ＭＡＣ ＣＥが複製送信をアクティブ化または非アクティブ化するために使用されることを示すことを特徴とする請求項５に記載の複製送信の構成方法。
【請求項７】
ＭＡＣサブヘッダ内のＬＣＩＤフィールドは、前記ＭＡＣ ＣＥが複製送信をアクティブ化または非アクティブ化するために使用されることを示すために用いられ、別のフィールドは、アクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、
または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示すことを特徴とする請求項６に記載の複製送信の構成方法。
【請求項８】
端末は、ネットワーク側からネットワーク側による端末の各無線ベアラーに対する構成である複製送信の構成を受信するステップと、
前記構成に従って複製送信を実行するステップとを備えることを特徴とする複製送信方法。
【請求項９】
端末は、ネットワーク側からＲＲＣシグナリングを受信し、複製送信の構成を決定することを特徴とする請求項８に記載の複製送信方法。 
【請求項１０】
複製送信構成は次の１つまたは組み合わせを含む：
無線ベアラー番号ＲＢ ＩＤ、および前記ベアラーに対応するＰＤＣＰエンティティの構成、
複製送信のために前記無線ベアラーによって使用される２つの対応する論理チャネル番号ＬＣＩＤ、および前記２つの論理チャネルにそれぞれ対応するＲＬＣエンティティの構成、
アップリンク送信の場合、２つの論理チャネルに構成された初期状態は、構成直後にアクティブ状態になるかどうかを示す状態であり、
アップリンク送信の場合、前記無線ベアラー構成は、複製送信のアクティブ化または非アクティブ化を許可するかどうかを示すことを特徴とする請求項８に記載の複製送信方法。
【請求項１１】
端末は、ネットワーク側から、複製送信をアクティブ化または非アクティブ化するためのＭＡＣ層シグナリングを受信することを特徴とする請求項１０に記載の複製送信方法。
【請求項１２】
アクティブ化または非アクティブ化するためのＭＡＣ層シグナリングは、ＭＡＣ層負荷なしで独立したＭＡＣサブヘッダであることを特徴とする請求項１１に記載の複製送信方法。
【請求項１３】
ＭＡＣサブヘッダ内のフィールドを用いて前記ＭＡＣ ＣＥが複製送信をアクティブ化または非アクティブ化するために使用されることを示すことを特徴とする請求項１２に記載の複製送信方法。 
【請求項１４】
ＭＡＣサブヘッダ内のＬＣＩＤフィールドは、前記ＭＡＣ ＣＥが複製送信をアクティブ化または非アクティブ化するために使用されることを示すために用いられ、別のフィールドは、アクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、
または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示すことを特徴とする請求項１３に記載の複製送信方法。 
【請求項１５】
端末の各無線ベアラーを決定するための、決定モジュールと、
各無線ベアラーについて複製送信構成を実行するための構成モジュールとを備えることを特徴とする複製送信の構成装置。
【請求項１６】
構成モジュールは、さらに、ＲＲＣシグナリングを使用して各無線ベアラーについて複製送信構成を実行することを特徴とする請求項１５に記載の複製送信の構成装置。
【請求項１７】
構成モジュールは、さらに、各無線ベアラーについて、以下の１つまたは組み合わせを含む複製送信構成を実行するようにさらに構成される：
無線ベアラー番号ＲＢ ＩＤ、および前記ベアラーに対応するＰＤＣＰエンティティの構成、
複製送信のために前記無線ベアラーによって使用される２つの対応する論理チャネル番号ＬＣＩＤ、および前記２つの論理チャネルにそれぞれ対応するＲＬＣエンティティの構成、
アップリンク送信の場合、２つの論理チャネルに構成された初期状態は構成後に直後にアクティブ化状態になるかどうかを示す状態であり、
アップリンク送信の場合、構成は、複製送信のアクティブ化または非アクティブ化を許可するかどうかを示すことを特徴とする請求項１５に記載の複製送信の構成装置。
【請求項１８】
前記構成モジュールは、さらに、ＭＡＣ層シグナリングを使用して無線ベアラーの複製送信をアクティブ化または非アクティブ化することを特徴とする請求項１７に記載の複製送信の構成装置。
【請求項１９】
前記構成モジュールは、さらに、ＭＡＣ層負荷なしで独立したＭＡＣサブヘッダのＭＡＣ層シグナリングを使用してアクティブ化または非アクティブ化を実行することを特徴とする請求項１８に記載の複製送信の構成装置。
【請求項２０】
前記構成モジュールは、さらに、ＭＡＣサブヘッダ内のフィールドを用いて前記ＭＡＣ ＣＥが複製送信をアクティブ化または非アクティブ化するために使用されることを示すことを特徴とする請求項１９に記載の複製送信の構成装置。
【請求項２１】
構成モジュールは、さらに、ＭＡＣサブヘッダ内のＬＣＩＤフィールドは、前記ＭＡＣ ＣＥが複製送信をアクティブ化または非アクティブ化するために使用されることを示すために用いられ、別のフィールドは、アクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示すことを特徴とする請求項２０に記載の複製送信の構成装置。
【請求項２２】
ネットワーク側による端末の各無線ベアラーに対する構成である複製送信の構成をネットワーク側から受信するための、受信モジュールと、
前記構成に従って複製送信を実行するための、送信モジュールとを備えることを特徴とする複製送信装置。 
【請求項２３】
受信モジュールは、さらに、ネットワーク側からＲＲＣシグナリングを受信して、複製送信の構成を決定することを特徴とする請求項２２に記載の複製送信装置。
【請求項２４】
複製送信構成は次の１つまたは組み合わせを含む：
無線ベアラー番号ＲＢ ＩＤ、および前記ベアラーに対応するＰＤＣＰエンティティの構成、
複製送信のために前記無線ベアラーによって使用される２つの対応する論理チャネル番号ＬＣＩＤ、および前記２つの論理チャネルにそれぞれ対応するＲＬＣエンティティの構成、
アップリンク送信の場合、２つの論理チャネルに構成された初期状態は、構成直後にアクティブ状態になるかどうかを示す状態であり、
アップリンク送信の場合、前記無線ベアラー構成は、複製送信のアクティブ化または非アクティブ化を許可するかどうかを示すことを特徴とする請求項２２に記載の複製送信装置。
【請求項２５】
受信モジュールは、さらに、ネットワーク側から複製送信をアクティブ化または非アクティブ化するためのＭＡＣ層シグナリングを受信することを特徴とする請求項２４に記載の複製送信装置。
【請求項２６】
受信モジュールは、さらに、アクティブ化または非アクティブ化するためのＭＡＣ層負荷なしで独立したＭＡＣサブヘッダのＭＡＣ層シグナリングを受信することを特徴とする請求項２５に記載の複製送信装置。
【請求項２７】
ＭＡＣサブヘッダ内のフィールドを用いて前記ＭＡＣ ＣＥが複製送信をアクティブ化または非アクティブ化するために使用されることを示すことを特徴とする請求項２６に記載の複製送信装置。
【請求項２８】
ＭＡＣサブヘッダ内のＬＣＩＤフィールドは、前記ＭＡＣ ＣＥが複製送信をアクティブ化または非アクティブ化するために使用されることを示すために用いられ、別のフィールドは、具体的にアクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、
または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示すことを特徴とする請求項２７に記載の複製送信装置。
【請求項２９】
メモリ内のプログラムを読み取り、次の動作を実行するように構成されたプロセッサと、
プロセッサの制御の下でデータを送受信し、次の動作を実行するように構成された送受信機とを備え、
前記プロセッサは、端末の各無線ベアラーを決定し、
前記送受信機は、各無線ベアラーについて複製送信構成を実行することを特徴とする複製送信の構成装置。 
【請求項３０】
プロセッサは、さらに、ＲＲＣシグナリングを使用して各無線ベアラーについて複製送信構成を実行することを特徴とする請求項２９に記載の複製送信の構成装置。 
【請求項３１】
プロセッサは、各無線ベアラについて、以下の１つまたは組み合わせを含む複製送信構成を実行するようにさらに構成される：
無線ベアラー番号ＲＢ ＩＤ、および前記ベアラーに対応するＰＤＣＰエンティティの構成、
複製送信のために前記無線ベアラーによって使用される２つの対応する論理チャネル番号ＬＣＩＤ、および前記２つの論理チャネルにそれぞれ対応するＲＬＣエンティティの構成、
アップリンク送信の場合、２つの論理チャネルに構成された初期状態は構成後に直後にアクティブ化状態になるかどうかを示す状態であり、
アップリンク送信の場合、構成は、複製送信のアクティブ化または非アクティブ化を許可するかどうかを示し、ことを特徴とする請求項２９に記載の複製送信の構成装置。 
【請求項３２】
プロセッサは、さらに、ＭＡＣ層シグナリングを使用して無線ベアラーの複製送信をアクティブ化または非アクティブ化することを特徴とする請求項３１に記載の複製送信の構成装置。 
【請求項３３】
前記プロセッサは、さらに、ＭＡＣ層負荷なしで独立したＭＡＣサブヘッダのＭＡＣ層シグナリングを使用してアクティブ化または非アクティブ化を実行することを特徴とする請求項３２に記載の複製送信の構成装置。 
【請求項３４】
プロセッサは、さらに、ＭＡＣサブヘッダ内のフィールドを用いて前記ＭＡＣ ＣＥが複製送信をアクティブ化または非アクティブ化するために使用されることを示すことを特徴とする請求項３３に記載の複製送信の構成装置。 
【請求項３５】
前記プロセッサは、さらに、ＭＡＣサブヘッダ内のＬＣＩＤフィールドは、前記ＭＡＣ ＣＥが複製送信をアクティブ化または非アクティブ化するために使用されることを示すために用いられ、別のフィールドは、具体的にアクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示す。ことを特徴とする請求項３４に記載の複製送信の構成装置。 
【請求項３６】
メモリ内のプログラムを読み取り、次の動作を実行するように構成されたプロセッサと、
プロセッサの制御の下でデータを送受信し、次の動作を実行するように構成された送受信機とを備え、
前記プロセッサは、送受信機の要件に従ってデータ処理を行い、 
前記送受信機は、
ネットワーク側から複製送信の構成を受信し、前記構成は、ネットワーク側による端末の各無線ベアラーに対する構成であり、
前記構成に従って複製送信を実行することを特徴とする複製送信装置。
【請求項３７】
プロセッサは、さらに、ネットワーク側からＲＲＣシグナリングを受信して、複製送信の構成を決定することを特徴とする請求項３６に記載の複製送信装置。
【請求項３８】
複製送信構成は次の１つまたは組み合わせを含む：
無線ベアラー番号ＲＢ ＩＤ、および前記ベアラーに対応するＰＤＣＰエンティティの構成、
複製送信のために前記無線ベアラーによって使用される２つの対応する論理チャネル番号ＬＣＩＤ、および前記２つの論理チャネルにそれぞれ対応するＲＬＣエンティティの構成、
アップリンク送信の場合、２つの論理チャネルに構成された初期状態は、構成直後にアクティブ状態になるかどうかを示す状態であり、
アップリンク送信の場合、前記無線ベアラー構成は、複製送信のアクティブ化または非アクティブ化を許可するかどうかを示し、ことを特徴とする請求項３６に記載の複製送信装置。
【請求項３９】
前記プロセッサは、さらに、ネットワーク側から複製送信をアクティブ化または非アクティブ化するためのＭＡＣ層シグナリングを受信することを特徴とする請求項３８に記載の複製送信装置。
【請求項４０】
前記プロセッサは、さらに、アクティブ化または非アクティブ化するためのＭＡＣ層負荷なしで独立したＭＡＣサブヘッダのＭＡＣ層シグナリングを受信することを特徴とする請求項３９に記載の複製送信装置。
【請求項４１】
ＭＡＣサブヘッダ内のフィールドを用いて前記ＭＡＣ ＣＥが複製送信をアクティブ化または非アクティブ化するために使用されることを示すことを特徴とする請求項４０に記載の複製送信装置。
【請求項４２】
ＭＡＣサブヘッダ内のＬＣＩＤフィールドは、前記ＭＡＣ ＣＥが複製送信をアクティブ化または非アクティブ化するために使用されることを示すために用いられ、別のフィールドは、具体的にアクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、
または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示すことを特徴とする請求項４１に記載の複製送信装置。
【請求項４３】
キャッシュ同期例外デバイスの可読記憶媒体であって、コンピューティングデバイス上で実行されるときに、コンピューティングデバイスに請求項１から７のいずれか１項に記載の方法のステップまたは請求項８から１４のいずれか一項に記載の方法のステップを実行させるように構成されるプログラムコードを含む、可読記憶媒体。
【発明の詳細な説明】
【技術分野】
【０００１】
〔関連出願の相互参照〕
本出願は、２０１７年６月１５日に中国特許局に提出し、出願番号が２０１７１０４５３５８４.１であり、発明名称が「複製送信の構成、複製送信方法および装置」との中国特許出願を基礎とする優先権を主張し、その開示の総てをここに取り込む。
【０００２】
本発明は、無線通信技術分野に関し、特に複製送信の構成、複製送信方法および装置に関する。
【背景技術】
【０００３】
５Ｇ ＮＲ（ｎｅｘｔ ｇｅｎｅｒａｔｉｏｎ Ｒａｄｉｏ，次世代無線）システムは、主に３種類のサービス：ｅＭＢＢ（ｅｎｈａｎｃｅｄ Ｍｏｂｉｌｅ Ｂｒｏａｄｂａｎｄ，強化されたモバイルブロードバンド）、ｍＭＴＣ（ｍａｓｓｉｖｅ Ｍａｃｈｉｎｅ Ｔｙｐｅ Ｃｏｍｍｕｎｉｃａｔｉｏｎｓ，大規模機械タイプ通信）、およびＵＲＬＬＣ（Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎｓ，超高信頼低遅延通信）をサポートする。
【０００４】
ＵＲＬＬＣについては、遅延と信頼性の両方に高い要求があるため、３ＧＰＰ（３ｒｄ Ｇｅｎｅｒａｔｉｏｎ Ｐａｒｔｎｅｒｓｈｉｐ Ｐｒｏｊｅｃｔ，第３世代パートナーシッププロジェクト）によって現在提供されている１つの解決策は、複製送信メカニズム、すなわち同じＰＤＵ（ＰＤＣＰ（Ｐａｃｋｅｔ Ｄａｔａ Ｃｏｎｖｅｒｇｅｎｃｅ Ｐｒｏｔｏｃｏｌ，パケットデータ収束プロトコル）層のＰｒｏｔｏｃｏｌ Ｄａｔａ Ｕｎｉｔ，プロトコルデータユニット）は、マルチパス伝送ゲインにより伝送の信頼性を高め、伝送遅延を低減するために、複数のパスを介して送信される。
【０００５】
図１は、ＣＡ（Ｃａｒｒｉｅｒ ａｇｇｒｅｇａｔｉｏｎ，キャリアアグリゲーション）の下での複製送信モデルの概略図であり、図２は、ＤＣ（Ｄｕａｌ ｃｏｎｎｅｃｔｉｖｉｔｙ，デュアルコネクティビティ）の下での複製送信モデルの概略図である。ＣＡおよびＤＣの下での複製送信モデルは、図１および２に示すとおりである。つまり、ＰＤＣＰ層の１つの無線ベアラー（１つのＰＤＣＰエンティティに対応）は、ＲＬＣ（Ｒａｄｉｏ Ｌｉｎｋ Ｃｏｎｔｒｏｌ，無線リンク制御）において、複数の論理チャネル（各論理チャネルはそれぞれ１つのＲＬＣエンティティに対応する）を介して送信する。ＣＡモデルの場合、複製送信の無線ベアラーに対応する複数の論理チャネルは、ＭＡＣ層の１つのＭＡＣ（Ｍｅｄｉａ Ａｃｃｅｓｓ Ｃｏｎｔｒｏｌ）エンティティによって処理され、異なるＲＬＣ論理チャネルからのデータは、１つのキャリアの異なる無線リソースまたは異なるキャリアにそれぞれにマッピングされて送信される。ＤＣモデルの場合、重複ＲＢ（ＲＢ：Ｒａｄｉｏ Ｂｅａｒｅｒ，無線ベアラー）に対応する複数の論理チャネルはそれぞれ異なるＭＡＣエンティティにマッピングされ、当然、複数の異なるＲＬＣ論理チャネルからのデータはそれぞれ異なる無線リソースまたはキャリアにマッピングされて送信される。
【０００６】
複製送信は、信頼性のあるデータ送信を保証する目的のためであるが、複製送信がすべてのデータに使用される場合、無線リソースは大きく浪費される可能性がある。したがって、複製送信のための効果的な制御メカニズムを導入する必要がある。つまり、特定のサービスの信頼性を確保しながら、リソース利用率を増加させる必要がある。一方、制御シグナリングのオーバーヘッドを節約することも検討する必要がある。
【発明の概要】
【発明が解決しようとする課題】
【０００７】
複製送信メカニズムは、ＵＲＬＬＣにより導入され、他のサービスにも適用可能である。複製送信メカニズムは合理的なに適用する必要があるが、従来技術の欠点は、現時点では良い解決策がないことである。
【０００８】
本発明は、マルチサービスの場合に合理的な複製送信メカニズムを提供するために、複製送信の構成、複製送信方法および装置を提供する。
【課題を解決するための手段】
【０００９】
第１の態様によれば、本発明の実施例に係る複製送信の構成方法は、
端末の各無線ベアラーを決定するステップと、
各無線ベアラーについて複製送信構成を実行するステップとを備える。
【００１０】
実施中、ＲＲＣシグナリングを使用して各無線ベアラーについて複製送信構成を実行する。
【００１１】
実施中、各無線ベアラーについて、以下の１つまたは組み合わせを含む複製送信構成を実行するようにさらに構成される：
無線ベアラー番号ＲＢ ＩＤ、および前記ベアラーに対応するＰＤＣＰエンティティの構成、
複製送信のために前記無線ベアラーによって使用される２つの対応する論理チャネル番号ＬＣＩＤ、および前記２つの論理チャネルにそれぞれ対応するＲＬＣエンティティの構成、
アップリンク送信の場合、２つの論理チャネルに構成された初期状態は構成後に直後にアクティブ化状態になるかどうかを示す状態であり、
アップリンク送信の場合、構成は、複製送信のアクティブ化または非アクティブ化を許可するかどうかを示す。
【００１２】
実施中、ＭＡＣ層シグナリングを使用して無線ベアラーの複製送信をアクティブ化または非アクティブ化する。
【００１３】
実施中、アクティブ化または非アクティブ化するためのＭＡＣ層シグナリングは、ＭＡＣ層負荷なしで独立したＭＡＣサブヘッダである。
【００１４】
実施中、ＭＡＣサブヘッダ内のフィールドを用いて前記ＭＡＣ ＣＥが複製送信をアクティブ化または非アクティブ化するために使用されることを示す。
【００１５】
実施中、ＭＡＣサブヘッダ内のＬＣＩＤフィールドは、前記ＭＡＣ ＣＥが複製送信をアクティブ化または非アクティブ化するために使用されることを示すために用いられ、別のフィールドは、具体的にアクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、
または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示す。
【００１６】
第２の態様によれば、本発明の実施例に係る複製送信方法は、
端末は、ネットワーク側からネットワーク側による端末の各無線ベアラーに対する構成である複製送信の構成を受信するステップと、
前記構成に従って複製送信を実行するステップとを備える。
【００１７】
実施中、端末は、ネットワーク側からＲＲＣシグナリングを受信し、複製送信の構成を決定する。
【００１８】
実施中、複製送信構成は次の１つまたは組み合わせを含む：
無線ベアラー番号ＲＢ ＩＤ、および前記ベアラーに対応するＰＤＣＰエンティティの構成、
複製送信のために前記無線ベアラーによって使用される２つの対応する論理チャネル番号ＬＣＩＤ、および前記２つの論理チャネルにそれぞれ対応するＲＬＣエンティティの構成、
アップリンク送信の場合、２つの論理チャネルに構成された初期状態は、構成直後にアクティブ状態になるかどうかを示す状態であり、
アップリンク送信の場合、前記無線ベアラー構成は、複製送信のアクティブ化または非アクティブ化を許可するかどうかを示す。
【００１９】
実施中、端末は、ネットワーク側から、複製送信をアクティブ化または非アクティブ化するためのＭＡＣ層シグナリングを受信する。
【００２０】
実施中、アクティブ化または非アクティブ化するためのＭＡＣ層シグナリングは、ＭＡＣ層負荷なしで独立したＭＡＣサブヘッダである。
【００２１】
実施中、ＭＡＣサブヘッダ内のフィールドを用いて前記ＭＡＣ ＣＥが複製送信をアクティブ化または非アクティブ化するために使用されることを示す。
【００２２】
実施中、ＭＡＣサブヘッダ内のＬＣＩＤフィールドは、前記ＭＡＣ ＣＥが複製送信をアクティブ化または非アクティブ化するために使用されることを示すために用いられ、別のフィールドは、具体的にアクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、
または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示す。
【００２３】
第３の態様によれば、本発明の実施例に係る複製送信の構成装置は、
端末の各無線ベアラーを決定するための、決定モジュールと、
各無線ベアラーについて複製送信構成を実行するための構成モジュールとを備える。
【００２４】
実施中、構成モジュールは、さらに、ＲＲＣシグナリングを使用して各無線ベアラーについて複製送信構成を実行する。
【００２５】
実施中、構成モジュールは、さらに、各無線ベアラーについて、以下の１つまたは組み合わせを含む複製送信構成を実行するようにさらに構成される：
無線ベアラー番号ＲＢ ＩＤ、および前記ベアラーに対応するＰＤＣＰエンティティの構成、
複製送信のために前記無線ベアラーによって使用される２つの対応する論理チャネル番号ＬＣＩＤ、および前記２つの論理チャネルにそれぞれ対応するＲＬＣエンティティの構成、
アップリンク送信の場合、２つの論理チャネルに構成された初期状態は構成後に直後にアクティブ化状態になるかどうかを示す状態であり、
アップリンク送信の場合、構成は、複製送信のアクティブ化または非アクティブ化を許可するかどうかを示す。
【００２６】
実施中、構成モジュールは、さらに、ＭＡＣ層シグナリングを使用して無線ベアラーの複製送信をアクティブ化または非アクティブ化する。
【００２７】
実施中、構成モジュールは、さらに、ＭＡＣ層負荷なしで独立したＭＡＣサブヘッダのＭＡＣ層シグナリングを使用してアクティブ化または非アクティブ化を実行する。
【００２８】
実施中、構成モジュールは、さらに、ＭＡＣサブヘッダ内のフィールドを用いて前記ＭＡＣ ＣＥが複製送信をアクティブ化または非アクティブ化するために使用されることを示す。
【００２９】
実施中、構成モジュールは、さらに、ＭＡＣサブヘッダ内のＬＣＩＤフィールドは、前記ＭＡＣ ＣＥが複製送信をアクティブ化または非アクティブ化するために使用されることを示すために用いられ、別のフィールドは、具体的にアクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示す。
【００３０】
第４の態様によれば、本発明の実施例に係る複製送信装置は、
ネットワーク側による端末の各無線ベアラーに対する構成である複製送信の構成をネットワーク側から受信するための、受信モジュールと、
前記構成に従って複製送信を実行するための、送信モジュールとを備える。
【００３１】
実施中、受信モジュールは、さらに、ネットワーク側からＲＲＣシグナリングを受信して、複製送信の構成を決定する。
【００３２】
実施中、複製送信構成は次の１つまたは組み合わせを含む：
無線ベアラー番号ＲＢ ＩＤ、および前記ベアラーに対応するＰＤＣＰエンティティの構成、
複製送信のために前記無線ベアラーによって使用される２つの対応する論理チャネル番号ＬＣＩＤ、および前記２つの論理チャネルにそれぞれ対応するＲＬＣエンティティの構成、
アップリンク送信の場合、２つの論理チャネルに構成された初期状態は、構成直後にアクティブ状態になるかどうかを示す状態であり、
アップリンク送信の場合、前記無線ベアラー構成は、複製送信のアクティブ化または非アクティブ化を許可するかどうかを示す。
【００３３】
実施中、受信モジュールは、さらに、ネットワーク側から複製送信をアクティブ化または非アクティブ化するためのＭＡＣ層シグナリングを受信する。
【００３４】
実施中、受信モジュールは、さらに、アクティブ化または非アクティブ化するためのＭＡＣ層負荷なしで独立したＭＡＣサブヘッダのＭＡＣ層シグナリングを受信する。
【００３５】
実施中、ＭＡＣサブヘッダ内のフィールドを用いて前記ＭＡＣ ＣＥが複製送信をアクティブ化または非アクティブ化するために使用されることを示す。
【００３６】
実施中、ＭＡＣサブヘッダ内のＬＣＩＤフィールドは、前記ＭＡＣ ＣＥが複製送信をアクティブ化または非アクティブ化するために使用されることを示すために用いられ、別のフィールドは、具体的にアクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、
または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示す。
【００３７】
対５の態様によれば、本発明の実施例に係る複製送信の構成装置は、 
メモリ内のプログラムを読み取り、次の動作を実行するように構成されたプロセッサと、
プロセッサの制御の下でデータを送受信し、次の動作を実行するように構成された送受信機とを備え、
前記プロセッサは、端末の各無線ベアラーを決定し、
前記送受信機は、各無線ベアラーについて複製送信構成を実行する。
【００３８】
実施中、プロセッサは、さらに、ＲＲＣシグナリングを使用して各無線ベアラーについて複製送信構成を実行する。
【００３９】
実施中、プロセッサは、各無線ベアラについて、以下の１つまたは組み合わせを含む複製送信構成を実行するようにさらに構成される：
無線ベアラー番号ＲＢ ＩＤ、および前記ベアラーに対応するＰＤＣＰエンティティの構成、
複製送信のために前記無線ベアラーによって使用される２つの対応する論理チャネル番号ＬＣＩＤ、および前記２つの論理チャネルにそれぞれ対応するＲＬＣエンティティの構成、
アップリンク送信の場合、２つの論理チャネルに構成された初期状態は構成後に直後にアクティブ化状態になるかどうかを示す状態であり、
アップリンク送信の場合、構成は、複製送信のアクティブ化または非アクティブ化を許可するかどうかを示す。
【００４０】
実施中、プロセッサは、さらに、ＭＡＣ層シグナリングを使用して無線ベアラーの複製送信をアクティブ化または非アクティブ化する。
【００４１】
実施中、プロセッサは、さらに、ＭＡＣ層負荷なしで独立したＭＡＣサブヘッダのＭＡＣ層シグナリングを使用してアクティブ化または非アクティブ化を実行する。
【００４２】
実施中、プロセッサは、さらに、ＭＡＣサブヘッダ内のフィールドを用いて前記ＭＡＣ ＣＥが複製送信をアクティブ化または非アクティブ化するために使用されることを示す。
【００４３】
実施中、プロセッサは、さらに、ＭＡＣサブヘッダ内のＬＣＩＤフィールドは、前記ＭＡＣ ＣＥが複製送信をアクティブ化または非アクティブ化するために使用されることを示すために用いられ、別のフィールドは、具体的にアクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示す。
【００４４】
第６の態様によれば、本発明の実施例に係る複製送信装置は、
メモリ内のプログラムを読み取り、次の動作を実行するように構成されたプロセッサと、
プロセッサの制御の下でデータを送受信し、次の動作を実行するように構成された送受信機とを備え、
前記プロセッサは、送受信機の要件に従ってデータ処理を行い、 
前記受信機は、ネットワーク側から複製送信の構成を受信し、前記構成は、ネットワーク側による端末の各無線ベアラーに対する構成であり、
前記構成に従って複製送信を実行する。
【００４５】
実施中、プロセッサは、さらに、ネットワーク側からＲＲＣシグナリングを受信して、複製送信の構成を決定する。
【００４６】
実施中、複製送信構成は次の１つまたは組み合わせを含む：
無線ベアラー番号ＲＢ ＩＤ、および前記ベアラーに対応するＰＤＣＰエンティティの構成、
複製送信のために前記無線ベアラーによって使用される２つの対応する論理チャネル番号ＬＣＩＤ、および前記２つの論理チャネルにそれぞれ対応するＲＬＣエンティティの構成、
アップリンク送信の場合、２つの論理チャネルに構成された初期状態は、構成直後にアクティブ状態になるかどうかを示す状態であり、
アップリンク送信の場合、前記無線ベアラー構成は、複製送信のアクティブ化または非アクティブ化を許可するかどうかを示す。
【００４７】
実施中、プロセッサは、さらに、ネットワーク側から複製送信をアクティブ化または非アクティブ化するためのＭＡＣ層シグナリングを受信する。
【００４８】
実施中、プロセッサは、さらに、アクティブ化または非アクティブ化するためのＭＡＣ層負荷なしで独立したＭＡＣサブヘッダのＭＡＣ層シグナリングを受信する。
【００４９】
実施中、ＭＡＣサブヘッダ内のフィールドを用いて前記ＭＡＣ ＣＥが複製送信をアクティブ化または非アクティブ化するために使用されることを示す。
【００５０】
実施中、ＭＡＣサブヘッダ内のＬＣＩＤフィールドは、前記ＭＡＣ ＣＥが複製送信をアクティブ化または非アクティブ化するために使用されることを示すために用いられ、別のフィールドは、具体的にアクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、
または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示す。
【００５１】
第７の態様によれば、本発明の実施例に係る、キャッシュ同期例外デバイスの可読記憶媒体であって、コンピューティングデバイス上で実行されるときに、コンピューティングデバイスに上記第１の態様のいずれかの前記方法のステップまたは第２の態様のいずれかの前記方法のステップを実行させるように構成されるプログラムコードを含む、可読記憶媒体。
【発明の効果】
【００５２】
本発明は以下の有益な効果を有する。
【００５３】
本発明の実施例によって提供される技術的解決策では、各無線ベアラーについて複製送信構成が実行されるため、異なるベアラ特性に対して複製送信を柔軟に適用でき、複製送信によって引き起こされる高い信頼性が得られるとともに、無線リソースの利用効率を高め、リソースの浪費を避けることができる。その間、エアインターフェイス制御シグナリングオーバーヘッドも節約される。
【図面の簡単な説明】
【００５４】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図１】背景技術におけるＣＡ場合の複製送信モデルの概略図である。
【図２】背景技術におけるＤＣ場合の複製送信モデルの概略図である。
【図３】本発明の実施例に係る複製送信の構成方法の実施プロセスの概略図である。
【図４】本発明の実施例に係る複製送信をアクティブ化または非アクティブ化するためのＭＡＣコマンドフォーマット１のＣＥ Ｔｙｐｅが１bitを占める概略図である。
【図５】本発明の実施例に係る複製送信をアクティブ化または非アクティブ化するためのＭＡＣコマンドフォーマット１のＣＥ Ｔｙｐｅが２bitを占める概略図である。
【図６】本発明の実施例に係る複製送信をアクティブ化または非アクティブ化するためのＭＡＣコマンドフォーマット２の概略図である。
【図７】本発明の実施例に係る複製送信方法の実施プロセスの概略図である。
【図８】本発明の実施例に係るネットワーク側の複製送信の構成装置の構造概略図である。
【図９】本発明の実施例に係る端末側複製送信装置の構造概略図である。
【図１０】本発明の実施例に係る基地局の構造概略図である。
【図１１】本発明の実施例に係る端末の構造概略図である。
【発明を実施するための形態】
【００５５】
低遅延および高信頼性を備えたサービス送信の要件をサポートするために、５Ｇ ＮＲは複製送信メカニズムを導入した。複製送信メカニズムはどのタイプのサービスにも適用できるが、サービスごとに待ち時間と信頼性の要件が異なる。本出願の実施形態は、複製送信を効果的に適用する解決策を提供し、複製送信が必要なサービスに対してのみ実行され、必要な場合にのみ実行され、特定のサービスの信頼性の強化と伝送遅延の低減が確保されるとともに、エアインターフェースリソースが合理的かつ効果的に利用されることを保証する。また、複製送信制御のシグナリングオーバーヘッドを低減することもできる。本出願の特定の実施形態を、図面と組み合わせて以下に説明する。
【００５６】
図３は、複製送信の構成方法の実施プロセスの概略図であり、示されるように、この方法は以下のステップを含むことができる。 
ステップ３０１において、端末の各無線ベアラーを決定する。
【００５７】
ステップ３０２において、各無線ベアラーについて複製送信構成を実行する。
【００５８】
具体的に、ネットワーク側は、端末の各無線ベアラーに対して複製送信（ｄｕｐｌｉｃａｔｉｏｎ）構成を実行する。構成内容は、複製送信初期状態、アクティブ化または非アクティブ化を許可するかどうかなどを含む。
【００５９】
ここで、複製送信構成ＲＲＣシグナリングを使用する場合、アクティブ化または非アクティブ化はＭＡＣ層シグナリング（すなわち、ＭＡＣ ＣＥ）を使用する。すなわち、実施中、ＲＲＣシグナリングを使用して各無線ベアラーについて複製送信構成を実行する。ＭＡＣ層シグナリングをしようして、無線ベアラーの複製送信構成をアクティブ化または非アクティブ化することができる。
【００６０】
このように、複製送信構成により、端末の複製送信サービスは３つのタイプを含むことができる：
初期状態はアクティブ化であり、下位層シグナリング（ＭＡＣ ＣＥ，ＭＡＣ制御要素）を介してアクティブ化または非アクティブ化を実行することができる。
【００６１】
初期状態は非アクティブ化であり、下位層シグナリング（ＭＡＣ ＣＥ，ＭＡＣ制御要素）を介してアクティブ化または非アクティブ化を実行することができる。
【００６２】
初期状態はアクティブ化であり、構成されると、アクティブ化の複製送信を維持し、下位層での複製送信のアクティブ化または非アクティブ化を許可しない。
【００６３】
以下さらに説明する。
【００６４】
実施中、各無線ベアラーについて、以下の１つまたは組み合わせを含む複製送信構成を実行するようにさらに構成される：
◎ＲＢ ＩＤ、および前記ベアラーに対応するＰＤＣＰエンティティの構成
◎無線ベアラーに対応する２つのＬＣＩＤ、および前記２つの論理チャネルにそれぞれ対応するＲＬＣエンティティの構成
◎アップリンク送信の場合、２つの論理チャネルに構成された初期状態は構成後に直後にアクティブ化状態になるかどうかを示す状態である
◎アップリンク送信の場合、構成は、複製送信のアクティブ化または非アクティブ化を許可するかどうかを示す。
【００６５】
特定の実施形態では、各無線ベアラに対して実行される複製送信構成のためのＲＲＣシグナリングにおいて、シグナリング内容は以下を含むことができる：
１、ＲＢ ＩＤ（識別子）、前記ベアラーに対応するＰＤＣＰエンティティの構成。
【００６６】
２、前記ベアラーに対応する２つのＬＣＩＤ（Ｌｏｇｉｃａｌ Ｃｈａｎｎｅｌ ＩＤ，論理チャネル識別子）、前記２つの論理チャネルにそれぞれ対応するＲＬＣエンティティの構成。
【００６７】
３、ダウンリンク送信の場合、基地局は無線ベアラと２つの対応する論理チャネルを構成するだけでよく、複製送信をアクティブまたは非アクティブにするかどうかは基地局側で実施され、別のシグナリングおよび動作はいらない。
【００６８】
４、アップリンク送信の場合、ＲＲＣシグナリングには、２つの論理チャネルの初期状態、つまり、対応する論理チャネルが構成直後にアクティブ状態にあるかどうかが含まれる（１つの論理チャネルが最初は非アクティブ状態になるように構成されているか、２つの論理チャネルが両方ともアクティブ状態になるように最初に構成される）。
【００６９】
５、アップリンク送信の場合、ＲＲＣシグナリングには、複製構成のアクティブ化または非アクティブ化を許可するかどうかが含まれる。このオプションは、それぞれ２つの論理チャネルに対して構成できるか、前記無線ベアラーに対して構成できるか、当該オプションは選択可能である。
【００７０】
無線ベアラの何らかの論理チャネルが構成後に非アクティブ化状態にある場合、「複製構成のアクティブ化または非アクティブ化を許可するかどうか」のオプションは表示されず、前記無線ベアラーは、前記無線ベアラがＭＡＣ層シグナリングを使用して、複製構成をアクティブ化または非アクティブ化を実行することが許可される。つまり、ＭＡＣ層シグナリングを使用して構成された後、初期状態が非アクティブになっている論理チャネルをアクティブ化し、ＭＡＣ層シグナリングを使用して複製送信を非アクティブ化することが許可される
無線ベアラの２つの論理チャネルが構成された後に両方ともアクティブ状態にある場合、「複製構成のアクティブ化または非アクティブ化を許可するかどうか」のオプションを使用して、論理チャネルの非アクティブ化を許可するかどうかを示す。このオプションが表示されない場合は、前記無線ベアラーの２つの論理チャネルのいずれも非アクティブにできない、つまり、複製送信メカニズムは構成後に継続的に有効である。
【００７１】
実施中、ＭＡＣ層シグナリングを使用して無線ベアラーの複製送信をアクティブ化または非アクティブ化することができる。
【００７２】
特定の実施形態では、アクティブ化または非アクティブ化するためのＭＡＣ層シグナリングは、ＭＡＣ層負荷なしで独立したＭＡＣサブヘッダである。
【００７３】
特定の実施形態では、ＭＡＣサブヘッダ内のフィールドを用いて前記ＭＡＣ ＣＥが複製送信をアクティブ化または非アクティブ化するために使用されることを示す。
【００７４】
特定の実施形態では、ＭＡＣサブヘッダ内のＬＣＩＤフィールドは、前記ＭＡＣ ＣＥが複製送信をアクティブ化または非アクティブ化するために使用されることを示すために用いられ、別のフィールドは、具体的にアクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、
または、ＭＡＣサブヘッダ内のＬＣＩＤフィールドは、前記ＭＡＣ ＣＥが複製送信をアクティブ化または非アクティブ化するために使用されることを示すために用いられ、ここで、２つＬＣＩＤ値は、複製送信をアクティブ化するためのＭＡＣ ＣＥおよび複製送信を非アクティブ化するためのＭＡＣ ＣＥを示すために使用される。
【００７５】
具体的に、アクティブ化または非アクティブ化コマンドするためのＭＡＣコマンドのフォーマットは、ＭＡＣ層負荷（ペイロード）のない独立したＭＡＣサブヘッダである。ＭＡＣサブヘッダ内のフィールドは、前記ＭＡＣ ＣＥ（Ｃｏｎｔｒｏｌ Ｅｌｅｍｅｎｔ，制御要素）が複製伝送をアクティブまたは非アクティブにするために使用されることを示す。当該複製送信アクティブ化または非アクティブ化するためのコマンドは、アップリンク送信専用であり、基地局から端末に送信する。には１つのＭＡＣサブヘッダーのみが含まれ、ＭＡＣ層のシグナリングオーバーヘッドを大幅に節約する。
【００７６】
具体的には、以下の２つの方法がある。
【００７７】
１、図４は複製送信をアクティブ化または非アクティブ化するためのＭＡＣコマンドフォーマット１のＣＥ Ｔｙｐｅが１ビットを占有する概略図である。図５は複製送信をアクティブ化または非アクティブ化するためのＭＡＣコマンドフォーマット１のＣＥ Ｔｙｐｅが２ビットを占有する概略図であり、１つのＬＣＩＤで前記ＭＡＣ ＣＥが複製送信をアクティブ化または非アクティブ化するために使用されることを示し、別のフィールドは、具体的にアクティブ化または非アクティブ化するかどうかを示す。ＣＥ Ｔｙｐｅがそれぞれ１ビットと２ビットを占める概略図は、図４と５に示すとおりである。図において、ＬＣＩＤ=アクティブ化または非アクティブ化複製送信、ＣＥ Ｔｙｐｅ=アクティブ化、または、ＣＥ Ｔｙｐｅ=非アクティブ化。
【００７８】
２、図6は、複製送信をアクティブ化または非アクティブ化するためのＭＡＣコマンドフォーマットの概略図であり、示されるように、２つのＬＣＩＤは、前記ＭＡＣ ＣＥが複製送信をアクティブ化または非アクティブ化するために使用されることを示す。ＬＣＩＤ１=アクティブ化複製送信、ＬＣＩＤ２=非アクティブ化複製送信。
【００７９】
したがって、端末側については、プロセスは以下のように実施することができる。
【００８０】
図７は、複製送信方法の実施プロセスの概略図であり、示されるように、この方法は以下のステップを含むことができる。 
ステップ７０１において、端末は、ネットワーク側から複製送信の構成を受信し、前記構成は、ネットワーク側による端末の各無線ベアラーに対する構成である。
【００８１】
ステップ７０２において、前記構成に従って複製送信を実行する。
【００８２】
実施中、端末は、ネットワーク側からＲＲＣシグナリングを受信し、複製送信の構成を決定する。
【００８３】
実施中、複製送信構成は次の１つまたは組み合わせを含む：
◎無線ベアラー番号ＲＢ ＩＤ、および前記ベアラーに対応するＰＤＣＰエンティティの構成
◎複製送信のために前記無線ベアラーによって使用される２つの対応する論理チャネル番号ＬＣＩＤ、および前記２つの論理チャネルにそれぞれ対応するＲＬＣエンティティの構成
◎アップリンク送信の場合、２つの論理チャネルに構成された初期状態は、構成直後にアクティブ状態になるかどうかを示す状態である
◎アップリンク送信の場合、前記無線ベアラー構成は、複製送信のアクティブ化または非アクティブ化を許可するかどうかを示す。
【００８４】
実施中、端末は、ネットワーク側から、複製送信をアクティブ化または非アクティブ化するためのＭＡＣ層シグナリングを受信する。
【００８５】
実施中、アクティブ化または非アクティブ化するためのＭＡＣ層シグナリングは、ＭＡＣ層負荷なしで独立したＭＡＣサブヘッダである。
【００８６】
実施中、ＭＡＣサブヘッダ内のフィールドを用いて前記ＭＡＣ ＣＥが複製送信をアクティブ化または非アクティブ化するために使用されることを示す。
【００８７】
実施中、ＭＡＣサブヘッダ内のＬＣＩＤフィールドは、前記ＭＡＣ ＣＥが複製送信をアクティブ化または非アクティブ化するために使用されることを示すために用いられ、別のフィールドは、具体的にアクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示す。
【００８８】
または、ＭＡＣサブヘッダ内のＬＣＩＤフィールドは、前記ＭＡＣ ＣＥが複製送信をアクティブ化または非アクティブ化するために使用されることを示すために用いられ、ここで、２つＬＣＩＤ値は、複製送信をアクティブ化するためのＭＡＣ ＣＥおよび複製送信を非アクティブ化するためのＭＡＣ ＣＥを示すために使用される。
【００８９】
以下実施例でさらに説明する。
【００９０】
第２の実施形態は以下の通りである。
【００９１】
本実施例において、無線ベアラー複製送信は、構成後常に有効である。
【００９２】
基地局側のステップは以下の通りである。
【００９３】
ステップ１：複製伝送構成は、端末の無線ベアラに対して、ＲＲＣシグナリングを使用して実行され、前記無線ベアラーは、シグナリング無線ベアラーＳＲＢ（Ｓｉｇｎａｌｌｉｎｇ Ｒａｄｉｏ Ｂｅａｒｅｒ，シグナリング無線ベアラー）またはデータ無線ベアラーＤＲＢ（Ｄａｔａ Ｒａｄｉｏ Ｂｅａｒｅｒ，データ無線ベアラー）であることができる。前記無線ベアラー送信は、ダウンリンクまたはアップリンクである。複製送信構成シグナリングは、前記ベアラーに対応する複製送信の２つの論理チャネルを示し、２つの論理チャネルは構成後に常にアクティブ状態になる。つまり、非アクティブにできない。
【００９４】
ステップ２：ダウンリンク送信の場合、基地局は、無線ベアラ用に構成された２つの論理チャネル上で複製送信を実行する。そして、アップリンク送信の場合、基地局は、無線ベアラ用に構成された２つの論理チャネル上でアップリンクリソース割り当てを実行し、アップリンク複製送信を実行するように端末をスケジューリングする。
【００９５】
端末側のステップは以下の通りである。
【００９６】
ステップ１：端末は、基地局によって送信されたＲＲＣ構成コマンドを受信し、複製送信構成、すなわち、無線ベアラーおよびその対応する論理チャネルならびに他の特定の構成を決定する。無線ベアラー用に構成された複製送信用の２つの論理チャネルは常にアクティブな状態にある、つまり常に使用でき、非アクティブにできないと判断される。
【００９７】
ステップ２：ダウンリンク送信の場合、端末は、無線ベアラ用に構成された２つの論理チャネル上でダウンリンク送信を受信する。そして、アップリンク伝送のために、端末は、基地局によって送信されたスケジューリングコマンドを受信する。ここで、複製送信用に構成された２つの論理チャネル上のトラフィックデータは、アップリンク伝送に含まれる。
【００９８】
第２の実施形態は以下の通りである。
【００９９】
本実施例において、無線ベアラー複製送信構成構成の後に、複製送信機能をアクティブ化または非アクティブ化複製送信する（アップリンク送信のみ）。
【０１００】
基地局側のステップは以下の通りである。
【０１０１】
ステップ１：複製伝送構成は、端末の無線ベアラに対して、ＲＲＣシグナリングを使用して実行され、複製送信構成シグナリングは、ベアラに対応する複製送信のための２つのアップリンク論理チャネルを示す。構成シグナリングには、次のものが含まれる：アップリンク論理チャネルの初期状態、つまり、送信状態がアクティブまたは非アクティブである。ＭＡＣシグナリングを使用して、前記ベアラの複製送信をアクティブ化または非アクティブ化することができる。
【０１０２】
ステップ２：基地局は、端末のアップリンクリソーススケジュールを実行する。
【０１０３】
ステップ３：基地局は、現在の複製送信状態を変更する必要がある場合に、複製送信のための論理チャネルのアクティブ化または非アクティブ化を示すために、端末にＭＡＣシグナリングを送信する。
【０１０４】
端末側のステップは以下の通りである。
【０１０５】
ステップ１：端末は、基地局によって送信されたＲＲＣ構成コマンドを受信し、複製送信構成、すなわち、無線ベアラーおよびその対応する論理チャネル、ならびに他の特定の構成を決定する。無線ベアラ用に設定された複製送信の２つの論理チャネルの初期状態が決定され、ベアラが複製送信をアクティブまたは非アクティブにすることが許可される。
【０１０６】
ステップ２：端末は、基地局によって送信されたスケジューリングコマンドを受信し、割り当てられたアップリンクリソース上のアクティブ化された論理チャネル上でトラフィックデータを送信する。
【０１０７】
ステップ３：端末は、基地局によって送信された複製送信をアクティブ化または非アクティブ化するためのＭＡＣ層コマンドを受信し、特定の論理チャネルのアクティブ化または非アクティブ化を決定する。具体的なプロセスは次のとおりである。
【０１０８】
複製送信がアクティブ化されていない場合、つまり、前記無線ベアラーに対して１つの論理チャネルのみがアクティブ化されている場合、端末は、複製送信をアクティブ化するためのＭＡＣ層コマンドを受信した後、無線ベアラーに対して構成された他の論理チャネルをアクティブ化する。また、２つの論理チャネルは同じＲＢのトラフィックデータを同時に送信して、複製送信を実行する。
【０１０９】
複製送信がアクティブ化された場合、すなわち、前記無線ベアラに対して２つの論理チャネルがアクティブ化され、複製送信に使用される場合、端末は、複製送信を非アクティブ化するＭＡＣ層コマンドを受信した後に１つの論理チャネルを非アクティブ化して、１つのみの論理チャネルで無線ベアラのデータを送信する。これは具体的には次のとおりである。
【０１１０】
（１）ＣＡの場合、デフォルトの論理チャネル（またはメイン論理チャネル）は保持され、他の論理チャネルは非アクティブ化されル。当該デフォルトの論理チャネルはＲＲＣシグナリングで構成されるか、当該デフォルトの論理チャネルは最初にアクティブ化されるように構成された論理チャネルであり、他の論理チャネルは、最初に非アクティブ化されるように構成された論理チャネルである。
【０１１１】
（２）ＤＣの場合、以下のアプローチのうちの１つが採用され得る。
【０１１２】
ＣＡと同様に、デフォルトの論理チャネル（またはメイン論理チャネル）は保持され、他の論理チャネルは非アクティブ化される。デフォルトの論理チャネルはＲＲＣシグナリングで構成されるか、デフォルトの論理チャネルは最初にアクティブになるように構成された論理チャネルであり、他の論理チャネルは最初に非アクティブになるように構成された論理チャネルである。または、
ＤＣについて、ＭＣＧ（Ｍａｓｔｅｒ Ｃｅｌｌ Ｇｒｏｕｐ，間スターセルグループ）およびＳＣＧ（Ｓｅｃｏｎｄａｒｙ Ｃｅｌｌ Ｇｒｏｕｐ，セカンダリセルグループ）のそれぞれは、独立したＭＡＣエンティティを有し、前記ＭＡＣコマンドが１つの論理チャネルに対応するＭＡＣエンティティから送信される場合、対応する論理チャネルは非アクティブ化される。たとえば、非アクティブ化のＭＡＣコマンドがMCＧから送信された場合、MCＧのベアラに対応する論理チャネルは非アクティブ化される。
【０１１３】
第３の実施形態は以下の通りである。
【０１１４】
本実施例において、複製送信は２つの無線ベアラに対して構成され、複製送信は一方の無線ベアラに対して継続的に有効であり、複製送信は他方の無線ベアラに対してアクティブ化または非アクティブ化できる（アップリンク送信）。
【０１１５】
基地局側のステップは以下の通りである。
【０１１６】
ステップ１：基地局は端末に対して２つの無線ベアラを構成し、ＲＢ１の複製送信は常にアクティブ化され、ＲＢ２の複製送信はＭＡＣシグナリングを使用してアクティブ化または非アクティブ化され得る。
【０１１７】
ステップ２：基地局は、ＲＢ２の複製送信状態を変更する必要がある場合に、複製送信をアクティブ化または非アクティブ化するためのＭＡＣコマンドを端末に送信する。このＭＡＣコマンドは端末に送信されるが、ＲＢ２に対してのみ有効で、ＲＢ１には有効ではない。
【０１１８】
端末側のステップは以下の通りである。
【０１１９】
ステップ１：端末は、基地局から構成を受信し、複製送信で構成された２つの無線ベアラ、２つの無線ベアラの初期状態、および２つの無線ベアラのアクティブ化または非アクティブ化を許可するかどうかを決定する。 ＲＢ１の送信は常にアクティブになり、ＲＢ２の複製送信はＭＡＣシグナリングを使用してアクティブ化または非アクティブ化される。
【０１２０】
ステップ２：端末は、基地局によって送信された複製送信をアクティブ化または非アクティブ化するＭＡＣコマンドを受信した後、ＲＢ２の複製送信状態のみを更新し、ＲＢ１の複製送信は常にアクティブ化される。
【０１２１】
同じ発明思想に基づいて、本発明の実施例は、複製送信の構成装置、複製送信装置をさらに提供する。これらの装置の問題を解決する原理は、複製送信の構成方法および複製送信方法に類似しているため、これらの装置の実施は、方法の実施を参照することができ、その繰り返しの説明はここでは省略する。
【０１２２】
図８はネットワーク側の複製送信の構成装置の構造概略図である。示されるように、装置は、端末の各無線ベアラを決定するための決定モジュール８０１と、
各無線ベアラーについて複製送信構成を実行するための構成モジュール８０２とを備える。
【０１２３】
実施中、構成モジュールは、さらに、ＲＲＣシグナリングを使用して各無線ベアラーについて複製送信構成を実行する。
【０１２４】
実施中、構成モジュールは、さらに、各無線ベアラーについて、以下の１つまたは組み合わせを含む複製送信構成を実行するようにさらに構成される：
◎無線ベアラー番号ＲＢ ＩＤ、および前記ベアラーに対応するＰＤＣＰエンティティの構成
◎複製送信のために前記無線ベアラーによって使用される２つの対応する論理チャネル番号ＬＣＩＤ、および前記２つの論理チャネルにそれぞれ対応するＲＬＣエンティティの構成
◎アップリンク送信の場合、２つの論理チャネルに構成された初期状態は構成後に直後にアクティブ化状態になるかどうかを示す状態である。
◎アップリンク送信の場合、構成は、複製送信のアクティブ化または非アクティブ化を許可するかどうかを示す。
【０１２５】
実施中、構成モジュールは、さらに、ＭＡＣ層シグナリングを使用して無線ベアラーの複製送信をアクティブ化または非アクティブ化する。
【０１２６】
実施中、構成モジュールは、さらに、ＭＡＣ層負荷なしで独立したＭＡＣサブヘッダのＭＡＣ層シグナリングを使用してアクティブ化または非アクティブ化を実行する。
【０１２７】
実施中、構成モジュールは、さらに、ＭＡＣサブヘッダ内のフィールドを用いて前記ＭＡＣ ＣＥが複製送信をアクティブ化または非アクティブ化するために使用されることを示す。
【０１２８】
実施中、構成モジュールは、さらに、ＭＡＣサブヘッダ内のＬＣＩＤフィールドは、前記ＭＡＣ ＣＥが複製送信をアクティブ化または非アクティブ化するために使用されることを示すために用いられ、別のフィールドは、具体的にアクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示す。
【０１２９】
図９は端末側複製送信装置の構造概略図である。示されるように当該装置は、
ネットワーク側からネットワーク側による端末の各無線ベアラーに対する構成である複製送信の構成を受信するための受信モジュール９０１と、
前記構成に従って複製送信を実行するための送信モジュール９０２とを備える。
【０１３０】
実施中、受信モジュールは、さらに、ネットワーク側からＲＲＣシグナリングを受信して、複製送信の構成を決定する。
【０１３１】
実施中、複製送信構成は次の１つまたは組み合わせを含む：
◎無線ベアラー番号ＲＢ ＩＤ、および前記ベアラーに対応するＰＤＣＰエンティティの構成
◎複製送信のために前記無線ベアラーによって使用される２つの対応する論理チャネル番号ＬＣＩＤ、および前記２つの論理チャネルにそれぞれ対応するＲＬＣエンティティの構成
◎アップリンク送信の場合、２つの論理チャネルに構成された初期状態は、構成直後にアクティブ状態になるかどうかを示す状態である。
◎アップリンク送信の場合、前記無線ベアラー構成は、複製送信のアクティブ化または非アクティブ化を許可するかどうかを示す。
【０１３２】
実施中、受信モジュールは、さらに、ネットワーク側から複製送信をアクティブ化または非アクティブ化するためのＭＡＣ層シグナリングを受信する。
【０１３３】
実施中、受信モジュールは、さらに、アクティブ化または非アクティブ化するためのＭＡＣ層負荷なしで独立したＭＡＣサブヘッダのＭＡＣ層シグナリングを受信する。
【０１３４】
実施中、ＭＡＣサブヘッダ内のフィールドを用いて前記ＭＡＣ ＣＥが複製送信をアクティブ化または非アクティブ化するために使用されることを示す。
【０１３５】
実施中、ＭＡＣサブヘッダ内のＬＣＩＤフィールドは、前記ＭＡＣ ＣＥが複製送信をアクティブ化または非アクティブ化するために使用されることを示すために用いられ、別のフィールドは、具体的にアクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示す。
【０１３６】
または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示す。
【０１３７】
説明便宜のために、上述の装置のすべての部分は、それぞれ説明される機能によって様々なモジュールまたはユニットに分割される。もちろん、様々なモジュールまたはユニットの機能は、本発明が実施されるとき、同じ１つまたは複数のソフトウェアまたはハードウェアで実施することができる。
【０１３８】
本発明の実施例によって提供される技術的解決策が実施されるとき、それは以下のような方法で実施することができる。
【０１３９】
図１０は基地局の構造概略図である。示されるように、基地局において、
プロセッサ１０００は、メモリ１０２０に格納されたプログラムを読み出し、次の動作を実行し、
端末の各無線ベアラーを決定する。
【０１４０】
送受信機１０１０は、プロセッサ１０００の制御の下でデータを送受信し、次の動作を実行し、
各無線ベアラーについて複製送信構成を実行する。
【０１４１】
実施中、ＲＲＣシグナリングを使用して各無線ベアラーについて複製送信構成を実行する。
【０１４２】
実施中、各無線ベアラーについて、以下の１つまたは組み合わせを含む複製送信構成を実行するようにさらに構成される：
◎無線ベアラー番号ＲＢ ＩＤ、および前記ベアラーに対応するＰＤＣＰエンティティの構成
◎複製送信のために前記無線ベアラーによって使用される２つの対応する論理チャネル番号ＬＣＩＤ、および前記２つの論理チャネルにそれぞれ対応するＲＬＣエンティティの構成、
◎アップリンク送信の場合、２つの論理チャネルに構成された初期状態は構成後に直後にアクティブ化状態になるかどうかを示す状態である。
◎アップリンク送信の場合、構成は、複製送信のアクティブ化または非アクティブ化を許可するかどうかを示す。
【０１４３】
実施中、ＭＡＣ層シグナリングを使用して無線ベアラーの複製送信をアクティブ化または非アクティブ化する。
【０１４４】
実施中、アクティブ化または非アクティブ化するためのＭＡＣ層シグナリングは、ＭＡＣ層負荷なしで独立したＭＡＣサブヘッダである。
【０１４５】
実施中、ＭＡＣサブヘッダ内のフィールドを用いて前記ＭＡＣ ＣＥが複製送信をアクティブ化または非アクティブ化するために使用されることを示す。
【０１４６】
実施中、ＭＡＣサブヘッダ内のＬＣＩＤフィールドは、前記ＭＡＣ ＣＥが複製送信をアクティブ化または非アクティブ化するために使用されることを示すために用いられ、別のフィールドは、具体的にアクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、
または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示す。
【０１４７】
ここで、図１０において、バスアーキテクチャは、いずれ数の相互接続するバス及びブリッジを備える。具体的に、プロセッサ１０００が代表となる１つまたは複数のプロセッサ及びメモリ１０２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機１０１０送信機と受信機を含む複数の要素で、伝送媒体上の他のさまざまなデバイスと通信するための要素を提供できる。プロセッサ１０００は、バスアーキテクチャの管理及び通常の処理を担当し、メモリ１０２０は、プロセッサ１０００が動作する際に利用するデータを記憶することができる。
【０１４８】
図１１は端末の構造概略図である。示されるように、端末において、
プロセッサ１１００は、メモリ１１２０に格納されたプログラムを読み出し、次の動作を実行し、
送受信機の要件に従ってデータ処理を行い、 
送受信機１１１０は、プロセッサ１１００の制御の下でデータを送受信し、次の動作を実行し、
ネットワーク側から複製送信の構成を受信し、前記構成は、ネットワーク側による端末の各無線ベアラーに対する構成であり、
前記構成に従って複製送信を実行する。
【０１４９】
実施中、端末は、ネットワーク側からＲＲＣシグナリングを受信し、複製送信の構成を決定する。
【０１５０】
実施中、複製送信構成は次の１つまたは組み合わせを含む：
無線ベアラー番号ＲＢ ＩＤ、および前記ベアラーに対応するＰＤＣＰエンティティの構成、
複製送信のために前記無線ベアラーによって使用される２つの対応する論理チャネル番号ＬＣＩＤ、および前記２つの論理チャネルにそれぞれ対応するＲＬＣエンティティの構成、
アップリンク送信の場合、２つの論理チャネルに構成された初期状態は、構成直後にアクティブ状態になるかどうかを示す状態であり、
アップリンク送信の場合、前記無線ベアラー構成は、複製送信のアクティブ化または非アクティブ化を許可するかどうかを示す。
【０１５１】
実施中、端末は、ネットワーク側から、複製送信をアクティブ化または非アクティブ化するためのＭＡＣ層シグナリングを受信する。
【０１５２】
実施中、アクティブ化または非アクティブ化するためのＭＡＣ層シグナリングは、ＭＡＣ層負荷なしで独立したＭＡＣサブヘッダである。
【０１５３】
実施中、ＭＡＣサブヘッダ内のフィールドを用いて前記ＭＡＣ ＣＥが複製送信をアクティブ化または非アクティブ化するために使用されることを示す。
【０１５４】
実施中、ＭＡＣサブヘッダ内のＬＣＩＤフィールドは、前記ＭＡＣ ＣＥが複製送信をアクティブ化または非アクティブ化するために使用されることを示すために用いられ、別のフィールドは、具体的にアクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、
または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示す。
【０１５５】
ここで、図１１において、バスアーキテクチャは、いずれ数の相互接続するバス及びブリッジを備える。具体的に、プロセッサ１１００が代表となる１つまたは複数のプロセッサ及びメモリ１１２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機１１１０は、複数の部品であることができ、即ち、送信機及び受信機を備え、伝送媒体を介して他の装置と通信するユニットを提供する。異なるユーザー設備に対し、ユーザーインターフェース１１３０は、外部接続または内部接続に必要な設備のインターフェースであることもできる。接続する設備は、キーパッド、ディスプレー、スピーカー、マイクロホン、ジョイスティック等を備えるが、これに限られない。
【０１５６】
プロセッサ１１００は、バスアーキテクチャの管理及び通常の処理を担当し、メモリ１１２０は、プロセッサ１１００が動作する際に利用するデータを記憶することができる。
【０１５７】
要約すると、本発明の実施例によって提供される技術的解決策では、ネットワーク側は、端末の各無線ベアラーに対して複製送信（ｄｕｐｌｉｃａｔｉｏｎ）構成を事項する。構成内容は、複製送信初期状態、アクティブ化および非アクティブ化が許可されるかどうかを含む。
【０１５８】
具体的に、送信機は、下位層のデータパケットの受信フィードバックを介して自律的にＰＤＣＰ ＰＤＵ複製送信をアクティブ化または非アクティブ化する。
【０１５９】
複製送信構成により、端末からの複製送信のサービスは３つのタイプを含むことができる：
初期状態はアクティブ化であり、下位層シグナリング（ＭＡＣ ＣＥ，ＭＡＣ制御要素）によってアクティブ化および非アクティブ化される。
【０１６０】
初期状態は非アクティブ化であり、下位層シグナリング（ＭＡＣ ＣＥ，ＭＡＣ制御要素）によってアクティブ化および非アクティブ化される。
【０１６１】
初期状態はアクティブ化であり、構成されると、アクティブ化の複製送信を維持し、下位層が複製送信をアクティブ化および非アクティブ化することは、許可されない。
【０１６２】
本発明の実施例は、不揮発性記憶媒体であり、コンピューティングデバイス上で実行するときにコンピューティングデバイスに上記の基地局の動作を実行させるように構成されたプログラムコードを含む読み取り可能な記憶媒体を提供する。
【０１６３】
本発明の実施例不揮発性記憶媒体であり、コンピューティングデバイス上で実行するときにコンピューティングデバイスに上記の端末の動作を実行させるように構成されたプログラムコードを含む読み取り可能な記憶媒体を提供する。
【０１６４】
本発明の実施例は、アップリンク複製伝送の構成および有効メカニズムを提供し、それにより、複製伝送を異なるベアラ特性に柔軟に適用することができ、複製送信によって引き起こされる高い信頼性が得られるとともに、無線リソースの利用効率を高め、リソースの浪費を避けることができる。その間、エアインターフェイス制御シグナリングオーバーヘッドも節約される。
【０１６５】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１６６】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１６７】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
上述した実施形態に記述された技術的な解決手段を改造し、或いはその中の一部の技術要素を置換することもできる。そのような、改造と置換は本発明の各実施形態の技術の範囲から逸脱するとは見なされない。
【０１６８】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１６９】
８０１  決定モジュール
８０２  構成モジュール
９０１  受信モジュール
９０２  送信モジュール
１０００  プロセッサ
１０１０  送受信機
１０２０  メモリ
１１００  プロセッサ
１１１０  送受信機
１１２０  メモリ
１１３０  ユーザーインターフェース
【図１】
2020524936.tif 000003
【図２】
2020524936.tif 000004
【図３】
2020524936.tif 000005
【図４】
2020524936.tif 000006
【図５】
2020524936.tif 000007
【図６】
2020524936.tif 000008
【図７】
2020524936.tif 000009
【図８】
2020524936.tif 000010
【図９】
2020524936.tif 000011
【図１０】
2020524936.tif 000012
【図１１】
2020524936.tif 000013
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
端末の各無線ベアラーを決定するステップと、
各無線ベアラーについて複製送信構成を実行するステップとを備えることを特徴とする複製送信の構成方法。
【請求項２】
ＲＲＣシグナリングを使用して各無線ベアラーについて複製送信構成を実行することを特徴とする請求項１に記載の複製送信の構成方法。
【請求項３】
各無線ベアラーについて、以下の１つまたは組み合わせを含む複製送信構成を実行するようにさらに構成される：
無線ベアラー番号ＲＢ ＩＤ、および前記ベアラーに対応するＰＤＣＰエンティティの構成、
複製送信のために前記無線ベアラーによって使用される２つの対応する論理チャネル番号ＬＣＩＤ、および前記２つの論理チャネルにそれぞれ対応するＲＬＣエンティティの構成、
アップリンク送信の場合、２つの論理チャネルに構成された初期状態は構成後に直後にアクティブ化状態になるかどうかを示す状態であり、
アップリンク送信の場合、構成は、複製送信のアクティブ化または非アクティブ化を許可するかどうかを示すことを特徴とする請求項１に記載の複製送信の構成方法。
【請求項４】
ＭＡＣ層シグナリングを使用して無線ベアラーの複製送信をアクティブ化または非アクティブ化し、
アクティブ化または非アクティブ化するためのＭＡＣ層シグナリングは、ＭＡＣ層負荷なしで独立したＭＡＣサブヘッダであり、
ＭＡＣサブヘッダ内のフィールドを用いて前記ＭＡＣ ＣＥが複製送信をアクティブ化または非アクティブ化するために使用されることを示し、
ＭＡＣサブヘッダ内のＬＣＩＤフィールドは、前記ＭＡＣ ＣＥが複製送信をアクティブ化または非アクティブ化するために使用されることを示すために用いられ、別のフィールドは、アクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、
または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示すことを特徴とする請求項３に記載の複製送信の構成方法。
【請求項５】
端末は、ネットワーク側からネットワーク側による端末の各無線ベアラーに対する構成である複製送信の構成を受信するステップと、
前記構成に従って複製送信を実行するステップとを備えることを特徴とする複製送信方法。
【請求項６】
端末は、ネットワーク側からＲＲＣシグナリングを受信し、複製送信の構成を決定することを特徴とする請求項５に記載の複製送信方法。 
【請求項７】
複製送信構成は次の１つまたは組み合わせを含む：
無線ベアラー番号ＲＢ ＩＤ、および前記ベアラーに対応するＰＤＣＰエンティティの構成、
複製送信のために前記無線ベアラーによって使用される２つの対応する論理チャネル番号ＬＣＩＤ、および前記２つの論理チャネルにそれぞれ対応するＲＬＣエンティティの構成、
アップリンク送信の場合、２つの論理チャネルに構成された初期状態は、構成直後にアクティブ状態になるかどうかを示す状態であり、
アップリンク送信の場合、前記無線ベアラー構成は、複製送信のアクティブ化または非アクティブ化を許可するかどうかを示すことを特徴とする請求項５に記載の複製送信方法。
【請求項８】
端末は、ネットワーク側から、複製送信をアクティブ化または非アクティブ化するためのＭＡＣ層シグナリングを受信し、
アクティブ化または非アクティブ化するためのＭＡＣ層シグナリングは、ＭＡＣ層負荷なしで独立したＭＡＣサブヘッダであり、
ＭＡＣサブヘッダ内のフィールドを用いて前記ＭＡＣ ＣＥが複製送信をアクティブ化または非アクティブ化するために使用されることを示し、
ＭＡＣサブヘッダ内のＬＣＩＤフィールドは、前記ＭＡＣ ＣＥが複製送信をアクティブ化または非アクティブ化するために使用されることを示すために用いられ、別のフィールドは、アクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、
または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示すことを特徴とする請求項７に記載の複製送信方法。 
【請求項９】
端末の各無線ベアラーを決定するための、決定モジュールと、
各無線ベアラーについて複製送信構成を実行するための構成モジュールとを備えることを特徴とする複製送信の構成装置。
【請求項１０】
構成モジュールは、さらに、ＲＲＣシグナリングを使用して各無線ベアラーについて複製送信構成を実行することを特徴とする請求項９に記載の複製送信の構成装置。
【請求項１１】
構成モジュールは、さらに、各無線ベアラーについて、以下の１つまたは組み合わせを含む複製送信構成を実行するようにさらに構成される：
無線ベアラー番号ＲＢ ＩＤ、および前記ベアラーに対応するＰＤＣＰエンティティの構成、
複製送信のために前記無線ベアラーによって使用される２つの対応する論理チャネル番号ＬＣＩＤ、および前記２つの論理チャネルにそれぞれ対応するＲＬＣエンティティの構成、
アップリンク送信の場合、２つの論理チャネルに構成された初期状態は構成後に直後にアクティブ化状態になるかどうかを示す状態であり、
アップリンク送信の場合、構成は、複製送信のアクティブ化または非アクティブ化を許可するかどうかを示すことを特徴とする請求項９に記載の複製送信の構成装置。
【請求項１２】
前記構成モジュールは、さらに、ＭＡＣ層シグナリングを使用して無線ベアラーの複製送信をアクティブ化または非アクティブ化し、
前記構成モジュールは、さらに、ＭＡＣ層負荷なしで独立したＭＡＣサブヘッダのＭＡＣ層シグナリングを使用してアクティブ化または非アクティブ化を実行し、
前記構成モジュールは、さらに、ＭＡＣサブヘッダ内のフィールドを用いて前記ＭＡＣ ＣＥが複製送信をアクティブ化または非アクティブ化するために使用されることを示し、
構成モジュールは、さらに、ＭＡＣサブヘッダ内のＬＣＩＤフィールドは、前記ＭＡＣ ＣＥが複製送信をアクティブ化または非アクティブ化するために使用されることを示すために用いられ、別のフィールドは、アクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示すことを特徴とする請求項１１に記載の複製送信の構成装置。
【請求項１３】
ネットワーク側による端末の各無線ベアラーに対する構成である複製送信の構成をネットワーク側から受信するための、受信モジュールと、
前記構成に従って複製送信を実行するための、送信モジュールとを備えることを特徴とする複製送信装置。 
【請求項１４】
受信モジュールは、さらに、ネットワーク側からＲＲＣシグナリングを受信して、複製送信の構成を決定し、
複製送信構成は次の１つまたは組み合わせを含む：
無線ベアラー番号ＲＢ ＩＤ、および前記ベアラーに対応するＰＤＣＰエンティティの構成、
複製送信のために前記無線ベアラーによって使用される２つの対応する論理チャネル番号ＬＣＩＤ、および前記２つの論理チャネルにそれぞれ対応するＲＬＣエンティティの構成、
アップリンク送信の場合、２つの論理チャネルに構成された初期状態は、構成直後にアクティブ状態になるかどうかを示す状態であり、
アップリンク送信の場合、前記無線ベアラー構成は、複製送信のアクティブ化または非アクティブ化を許可するかどうかを示すことを特徴とする請求項１３に記載の複製送信装置。
【請求項１５】
受信モジュールは、さらに、ネットワーク側から複製送信をアクティブ化または非アクティブ化するためのＭＡＣ層シグナリングを受信し、
受信モジュールは、さらに、アクティブ化または非アクティブ化するためのＭＡＣ層負荷なしで独立したＭＡＣサブヘッダのＭＡＣ層シグナリングを受信し、
ＭＡＣサブヘッダ内のフィールドを用いて前記ＭＡＣ ＣＥが複製送信をアクティブ化または非アクティブ化するために使用されることを示し、
ＭＡＣサブヘッダ内のＬＣＩＤフィールドは、前記ＭＡＣ ＣＥが複製送信をアクティブ化または非アクティブ化するために使用されることを示すために用いられ、別のフィールドは、具体的にアクティブ化または非アクティブ化するかどうかを示し、ここで、１つのＬＣＩＤを用いて、前記ＭＡＣ ＣＥが複製送信アクティブ化または非アクティブ化するためのＭＡＣ ＣＥであることを示し、ＣＥ Ｔｙフィールドの異なる値を用いて前記ＭＡＣ ＣＥが複製送信をアクティブ化するためのＭＡＣ ＣＥであるかまたは複製送信を非アクティブ化するためのＭＡＣ ＣＥであるかを示し、
または、ＭＡＣサブヘッダ内のＬＣＩＤフィールドは、前記ＭＡＣ ＣＥが複製送信をアクティブ化または非アクティブ化するために使用されることを示すために用いられ、ここで、２つのＬＣＩＤ値それぞれで複製送信をアクティブ化するためのＭＡＣ ＣＥまたは複製送信を非アクティブ化するためのＭＡＣ ＣＥを示すことを特徴とする請求項１４に記載の複製送信装置。
【国際調査報告】
2020524936.tif 000014
2020524936.tif 000015
2020524936.tif 000016
2020524936.tif 000017